(57)【要約】【課題】細かな氷と飲料を混合して製造した、口当たりが良く、清涼感のあるフローズン飲料を製造することができるカップ式飲料自動販売機を実現することを目的とするものである。【解決手段】氷を供給する製氷機１および氷排出口２と、氷排出口２から排出された氷を細かく加工してカップＣに供給する氷加工供給装置４およびシュータ５と、を設け、氷加工供給装置４で細かく加工してシュータ５でカップＣに供給した氷と、飲料と、を攪拌羽根１１で攪拌してフローズン飲料を製造する。【選択図】　　　図１
2004145811.tif 000002
【特許請求の範囲】
【請求項１】
カップに供給した飲料を攪拌するための攪拌羽根を備えたカップ式飲料自動販売機において、氷を供給する氷供給装置と、前記氷供給装置から排出された氷を細かく加工して前記カップに供給する氷加工供給装置と、を設け、前記氷加工供給装置で細かく加工して前記カップに供給した氷と、前記飲料と、を前記攪拌羽根で攪拌してフローズン飲料を製造することを特徴とするカップ式飲料自動販売機。
【請求項２】
前記氷加工供給装置は、前記氷供給装置から排出された氷を削って細かく加工することを特徴とする請求項１記載のカップ式飲料自動販売機。
【請求項３】
前記氷加工供給装置は、前記氷供給装置から排出された氷を砕いて細かく加工することを特徴とする請求項１記載のカップ式飲料自動販売機。
【請求項４】
前記氷供給装置から供給する氷を前記カップまたは前記氷加工供給装置の何れか一方に振り分けて供給する氷振り分け装置を前記氷供給装置の後方に設けたことを特徴とする請求項１乃至３の何れかに記載のカップ式飲料自動販売機。
【請求項５】
機内で調理したカップ入り飲料を販売するカップ式飲料自動販売機において、
氷を供給する氷供給装置と、
前記氷供給装置から排出された氷を細かく加工して前記カップに供給する氷加工供給装置と、
を設け、
前記氷加工供給装置で細かく加工した氷を前記カップに供給してフローズン飲料を製造することを特徴とするカップ式飲料自動販売機。
【発明の詳細な説明】
【０００１】
【発明の属する技術分野】
本発明は、コーヒーやシロップ等をカップ等の容器に供給して販売するカップ式飲料自動販売機に関し、特に、カップ等の容器に供給したコーヒーやシロップ等と氷を攪拌してシャーベット状のフローズン飲料を製造して販売するカップ式飲料自動販売機に関する。
【０００２】
【従来の技術】
従来、カップ式飲料自動販売機でカップ飲料に氷を投入したコールド飲料を販売する場合、製氷機で氷を作り、その氷を投入してコールド飲料を製造して販売するものがある（例えば、特許文献１参照。）。
以下、図２により従来のカップ式飲料自動販売機について説明する。図において、給水装置（図示せず）から供給された飲料水を冷却して製造した氷を貯蔵する製氷機１、制御部（図示せず）からの指示により、製氷機１で貯蔵している氷を排出する氷排出口２、シロップを貯蔵するシロップタンク６、砂糖、クリームおよびインスタントコーヒー等の粉末原料を貯蔵する原料箱７、内部に図示しないヒータを有し、給水装置から供給された飲料水をほぼ９７℃の温度に保って貯湯する温水タンク８、コーヒー豆収容部と、コーヒー豆を挽くコーヒーミルと、コーヒーミルで挽いた挽き豆と温水タンク８から供給された温水によりコーヒーを抽出するコーヒー抽出部を内蔵するコーヒー調理部９、カップＣに供給されたシロップと飲料水、または、コーヒーと砂糖とクリームとを攪拌する攪拌羽根１１を有している攪拌装置１０、を備える。
【０００３】
かかる構成により、コールド飲料の販売指令が出力されると、先ず、図示されていないカップ供給装置からカップＣが供給され、このカップＣにシロップタンク６からシロップと給水装置から飲料水が供給される。カップＣにシロップと飲料水が供給されると、カップＣ内に攪拌装置１０の攪拌羽根１１を挿入して回転させシロップと飲料水の混合液とする。そして、このシロップと飲料水の混合液に氷を投入し、さらに攪拌羽根１１を回転させるとコールド飲料が出来上がり、販売口から受け渡される。
【０００４】
【特許文献１】
特開平７−６２５３号（第３頁、第１図）
【０００５】
【発明が解決しようとする課題】
最近、飲料の嗜好が多様化し、口当たりが良く、清涼感のあるシャーベット状のフローズン飲料が好まれるようになっている。特に、口当たりの良いフローズン飲料を製造するためには、細かな氷（例えば、ほぼ米粒の寸法の氷）と飲料を混合することが要求される。
しかし、従来のカップ式飲料自動販売機では、製氷機で作られた氷をそのままカップに投入して飲料を冷やすためのものであり、カップ飲料に入っている氷は大きい寸法の氷であった。
【０００６】
本発明は、このような従来の構成が有していた問題を解決しようとするものであり、細かな氷と飲料を混合して製造した、口当たりが良く、清涼感のあるフローズン飲料を製造することができるカップ式飲料自動販売機を実現することを目的とするものである。
【０００７】
【課題を解決するための手段】
上記の目的を達成するために、本発明の請求項１に係るカップ式飲料自動販売機は、カップに供給した飲料を攪拌するための攪拌羽根を備えたカップ式飲料自動販売機において、氷を供給する氷供給装置と、前記氷供給装置から排出された氷を細かく加工して前記カップに供給する氷加工供給装置と、を設け、前記氷加工供給装置で細かく加工して前記カップに供給した氷と、前記飲料と、を前記攪拌羽根で攪拌してフローズン飲料を製造することを特徴とする。
【０００８】
また、本発明の請求項２に係るカップ式飲料自動販売機は、上記請求項１において、前記氷加工供給装置は、前記氷供給装置から排出された氷を削って細かく加工することを特徴とする。
また、本発明の請求項３に係るカップ式飲料自動販売機は、上記請求項１において、前記氷加工供給装置は、前記氷供給装置から排出された氷を砕いて細かく加工することを特徴とする。
また、本発明の請求項４に係るカップ式飲料自動販売機は、上記請求項１乃至３の何れかにおいて、前記氷供給装置から供給する氷を前記カップまたは前記氷加工供給装置の何れか一方に振り分けて供給する氷振り分け装置を前記氷供給装置の後方に設けたことを特徴とする。
【０００９】
また、本発明の請求項５に係るカップ式飲料自動販売機は、機内で調理したカップ入り飲料を販売するカップ式飲料自動販売機において、
氷を供給する氷供給装置と、前記氷供給装置から排出された氷を細かく加工して前記カップに供給する氷加工供給装置と、を設け、前記氷加工供給装置で細かく加工した氷を前記カップに供給してフローズン飲料を製造することを特徴とする。
【００１０】
【発明の実施の形態】
以下、本発明の実施の形態を図を参照して詳細に説明する。なお、従来と同一構成に関しては同一符号を用いる。
図１は、本発明の実施の形態に係る実施例としての、口当たりが良く、清涼感のあるフローズン飲料を製造することができるカップ式飲料自動販売機を示す。図１において、給水装置（図示せず）から供給された飲料水を冷却して製造した氷を貯蔵する製氷機１、制御部（図示せず）からの指示により、製氷機１で貯蔵している氷を排出する氷排出口２（製氷機１と氷排出口２で氷供給装置を構成する）、氷排出口２から排出した氷の供給先を振り分ける氷振り分け装置３、氷振り分け装置３内で揺動可能に支持され、図中実線で示す右方向に傾けている時は後述する氷加工供給装置４に氷を供給し、また図中点線で示す左方向に傾けている時はカップＣに氷を供給する氷振り分け機構３ａ、氷振り分け装置３で振り分け供給された氷を細かく加工する氷加工供給装置４、氷加工供給装置４で細かく加工した氷をカップＣに導くシュータ５（氷加工供給装置４とシュータ５で氷加工供給装置を構成する）、シロップを貯蔵するシロップタンク６、砂糖、クリームおよびインスタントコーヒーまたはココア等の粉末原料を貯蔵する原料箱７、内部に図示しないヒータを有し、給水装置から供給された飲料水をほぼ９７℃の温度に保って貯湯する温水タンク８、コーヒー豆収容部と、コーヒー豆を挽くコーヒーミルと、コーヒーミルで挽いた挽き豆と温水タンク８から供給された温水によりコーヒーを抽出するコーヒー抽出部とを内蔵するコーヒー調理部９、カップＣに供給されたシロップやコーヒー、また、氷とを攪拌する攪拌羽根１１を有している攪拌装置１０、を備える。
【００１１】
以下、上記構成の動作を説明する。フローズン飲料の販売指令が出力されると、先ず、図示していないカップ供給装置からカップＣが供給され、このカップＣにシロップタンク６からシロップが供給される。それと同時に、氷振り分け装置３の氷振り分け機構３ａを図中実線で示す右方向に傾け、氷排出口２から排出された氷を氷振り分け装置３で氷加工供給装置４に振り分け供給する。氷加工供給装置４では供給された氷を細かく加工してシュータ５からカップＣに供給する。このようにして、カップＣにシロップと細かく加工した氷が供給され、次に、攪拌装置１０の攪拌羽根１１をカップＣ内に挿入して回転させシロップと細かく加工した氷を攪拌して混合すると、口当たりが良く、清涼感のあるフローズン飲料が出来上がり、販売口（図示せず）から受け渡される。
【００１２】
なお、氷加工供給装置４で氷を細かく（例えば、ほぼ米粒の寸法の氷）加工する手段として、氷を削って細かい氷（削氷）に加工する、また、氷を砕いて細かい氷（砕氷）に加工する等の方法があるが、氷を細かく加工するのは、口当たりの良いフローズン飲料を製造することが目的であり、氷を細かく加工する方法はこれに限定されることなく、口当たりの良いフローズン飲料を製造するのに適した大きさの氷に加工することができれば、加工手段にとらわれないことはいうまでもない。
また、氷加工供給装置４で細かく加工する氷の大きさを変えることにより、フローズン飲料の口当たりを変えることができるので、口当たりの異なるフローズン飲料の種類を増やすことができる。
【００１３】
さらに、シロップと細かく加工した氷を攪拌して、口当たりが良く、清涼感のあるフローズン飲料を製造するカップ式飲料自動販売機の実施例で説明したが、コーヒー調理部９で調理したコーヒーと細かく加工した氷を攪拌して、口当たりが良く、清涼感のあるフローズン飲料を製造する、また、原料箱７の粉末原料（例えば、ココア）と温水タンク８から供給した温水をミキシングボール（図示せず）で混合して調理した飲料と細かく加工した氷を攪拌して、口当たりが良く、清涼感のあるフローズン飲料を製造することができるカップ式飲料自動販売機に適用できることはいうまでもない。
【００１４】
次に、コールド飲料の販売指令が出力されると、図示していないカップ供給装置からカップＣが供給され、シロップタンク６からシロップが、また給水装置から飲料水がカップＣに供給される。それと同時に、氷振り分け装置３の氷振り分け機構３ａを図中点線で示す左方向に傾ける。このシロップと飲料水が供給されたカップＣ内に攪拌装置１０の攪拌羽根１１を挿入して回転させるとシロップと飲料水が攪拌され混合液となる。攪拌が完了すると攪拌羽根１１の回転を止め、同時に、氷排出口２から氷を排出し氷振り分け装置３でカップＣに振り分け供給する。このようにしてシロップと飲料水の混合液が入っているカップＣに氷を投入し、さらに攪拌羽根１１を回転させると、大きい寸法の氷が入っているコールド飲料が出来上がり、販売口から受け渡される。
【００１５】
以上説明したように、カップＣに供給した飲料を攪拌するための攪拌羽根１１を備えたカップ式飲料自動販売機において、氷を供給する製氷機１および氷排出口２（製氷機１および氷排出口２で氷供給装置を構成する）と、氷排出口２から排出された氷を細かく加工してカップＣに供給する氷加工供給装置４およびシュータ５（氷加工供給装置４およびシュータ５で氷加工供給装置を構成する）と、を設け、氷加工供給装置４で細かく加工してシュータ５でカップＣに供給した氷と、飲料と、を攪拌羽根１１で攪拌してフローズン飲料を製造することにより、口当たりが良く、清涼感のあるフローズン飲料を製造することができるカップ式飲料自動販売機を実現することが可能となる。
【００１６】
氷加工供給装置４は、氷排出口２から排出された氷を削って細かい氷を作ることにより、かき氷と飲料を混合した口当たりのフローズン飲料を製造することができるカップ式飲料自動販売機を実現することが可能となる。
氷加工供給装置４は、氷排出口２から排出された氷を砕いて細かい氷を作ることにより、ザラメ氷と飲料を混合した口当たりのフローズン飲料を製造することができるカップ式飲料自動販売機を実現することが可能となる。
氷排出口２から供給する氷をカップＣまたは氷加工供給装置４の何れか一方に振り分けて供給する氷振り分け装置３を氷排出口２の後方に設けたことにより、１台のカップ式飲料自動販売機で、大きい寸法の氷が入っているコールド飲料と、細かく加工した氷が入っている、口当たりが良く、清涼感のあるフローズン飲料とを製造して販売することが可能となる。
【００１７】
自動販売機内で調理したカップ入り飲料を販売するカップ式飲料自動販売機において、氷を供給する製氷機１および氷排出口２（製氷機１および氷排出口２で氷供給装置を構成する）と、氷排出口２から排出された氷を細かく加工してカップＣに供給する氷加工供給装置４およびシュータ５（氷加工供給装置４およびシュータ５で氷加工供給装置を構成する）と、を設け、氷加工供給装置４で細かく加工した氷をカップＣに供給してフローズン飲料を製造することにより、飲料に微細な氷を混入させたフローズン飲料を製造することができるカップ式飲料自動販売機を実現することが可能となる。
【００１８】
【発明の効果】
以上述べたように、本発明によれば、氷を供給する氷供給装置と、氷供給装置から排出された氷を細かく加工してカップに供給する氷加工供給装置と、を設け、　氷加工供給装置で細かく加工してカップに供給した氷と、飲料と、を攪拌羽根で攪拌してフローズン飲料を製造することができるので、口当たりが良く、清涼感のあるフローズン飲料を製造することができるカップ式飲料自動販売機を実現することが可能になる。
【図面の簡単な説明】
【図１】本発明の実施形態を示す実施例としてのカップ式飲料自動販売機の概略構成図である。
【図２】従来のカップ式飲料自動販売機の概略構成図である。
【符号の説明】
１　製氷機
２　氷排出口
３　氷振り分け装置
３ａ　氷振り分け機構
４　氷加工供給装置
５　シュータ
６　シロップタンク
７　原料箱
８　温水タンク
９　コーヒー調理部
１０　攪拌装置
１１　攪拌羽根
Ｃ　カップ
【図１】
2004145811.tif 000003
【図２】
2004145811.tif 000004